(57)【要約】      （修正有）【課題】従来のプレス装置を利用して筒状ワークを内側から打ち抜き加工、膨出加工することができる加工器具を提供すること。【解決手段】筒状ワーク（鉄パイプ９０）を内側から穿孔又は膨出部を形成加工するパンチ部材（パンチ１０）と、このパンチ部材を誘導する誘導部材（誘導ピン２０）と、筒状ワークを取り付け、位置決めする筒状の筒状ワーク用治具（鉄パイプ用治具４０）と、この筒状ワーク用治具内をスライド可能に形成された棒状の部材であって、筒状ワーク用治具内をスライドすることにより、誘導部材を可動させるスライド部材（スライド棒３０）と、を備えている。【選択図】図１
2011255399.tif 000002
【特許請求の範囲】
【請求項１】
パイプ、管等の筒状ワークの周壁を内側から加工する加工器具において、
柱状の誘導部材と、
端部に加工部を有する柱状に形成され、前記誘導部材をスライド可能なスライド孔を柱状の軸と直交する方向に形成されたパンチ部材と、
外周壁に前記筒状ワークを配置可能な筒状に形成されてなり、前記パンチ部材の端部を案内するために周壁から反対の周壁まで貫通する案内孔と、前記誘導部材の両端を支持し、軸方向へ移動するのを防止するために周壁から反対の周壁まで貫通した規制孔とを有する筒状ワーク用冶具と、
前記筒状ワーク用冶具の筒内を軸方向にスライド可能な柱状に形成されてなり、前記パンチ部材を収容可能な周壁から反対周壁まで貫通した長孔状の開口を有する長孔溝と、前記誘導部材を収容可能な前記長孔溝と直交する方向に貫通した長孔状の開口面を有する誘導溝と、を有するスライド部材と、を備え、
前記長孔溝は、前記スライド部材の軸方向に延びた長孔に形成されており、
前記誘導溝の少なくとも一部は、前記スライド部材の軸に対して角度を有しているか又は曲線であることを特徴とする加工器具。
【請求項２】
前記誘導溝は、弧状に形成されてなることを特徴とする請求項１に記載の加工器具。
【請求項３】
請求項１又は２に記載の加工器具において、
柱状の誘導部材と、
端部に加工部を有する柱状に形成され、前記誘導部材をスライド可能なスライド孔を柱状の軸と直交する方向に形成されたパンチ部材と、
外周壁に前記筒状ワークを配置可能な筒状に形成されてなり、前記パンチ部材の端部を案内するために周壁から反対の周壁まで貫通する案内孔と、前記誘導部材の両端を支持し、軸方向へ移動するのを防止するために周壁から反対の周壁まで貫通した規制孔とを有する筒状ワーク用冶具と、
前記筒状ワーク用冶具の筒内を軸方向にスライド可能な柱状に形成されてなり、前記パンチ部材を収容可能な周壁から反対周壁まで貫通した長孔状の開口を有する長孔溝と、前記誘導部材を収容可能な前記長孔溝と直交する方向に貫通した長孔状の開口面を有する誘導溝と、を備えたスライド部材と、
からなる構成が複数設けてあることを特徴とする加工器具。
【請求項４】
複数の前記誘導溝の少なくとも１つは、形状が異なることを特徴とする請求項３に記載の加工器具。
【請求項５】
請求項１から４のいずれか１項に記載の加工器具において、
前記筒状ワーク用冶具の外周に設置される前記筒状ワークの外周に設置されるダイ部材を備えることを特徴とする加工器具。
【請求項６】
請求項１から５のいずれか１項に記載の加工器具を用いた筒状ワークの加工方法であって、
筒状ワーク用治具に筒状ワークを取り付ける工程と、
該筒状ワーク用治具のスライド部材を押圧する工程と、
からなることを特徴とする筒状ワークの加工方法。
【発明の詳細な説明】
【技術分野】
【０００１】
本発明は、パイプ等の筒状ワークの周壁を内側から加工して、周壁に貫通孔又は膨出部を形成する加工器具に関する。
【背景技術】
【０００２】
現在、鉄パイプ等の筒状ワークの周壁に貫通孔を穿設する加工方法としては、筒状ワーク内側に芯金を設置し、外側からパンチで打抜く打抜加工方法又はドリルによる切削穿孔加工方法が主流である。
【０００３】
しかし、いずれの加工方法も筒状ワーク外側から穿孔加工を行うため、筒状ワークの内側にバリが発生する。このバリが原因となって、芯金への食いつき、加工器具への食いつきが発生する場合があり、作業性の低下を招いていた。また、製品となる筒状ワークは、後工程でバリを除去する加工が必要な場合がある。しかし、筒状ワークの内側に発生したバリを除去する加工は困難かつ煩雑であり、特に径の細い筒状ワークの場合や穿孔した孔が小さい場合は、バリ除去加工が不可能な場合もあった。一方で、加工する筒状ワークの寸法公差を考慮すると、芯金の外径は筒状ワーク内径よりも若干短く作製する必要があるため、筒状ワークと芯金との間に隙間が発生することが避けられず、外側から加工する方法でバリの発生を完全に防止することは不可能であった。
【０００４】
また、外側から加工する方法では筒状ワーク外側から圧力がかかるため、穿設した貫通孔の周囲が内側に凹んでしまうという現象が発生した。
【０００５】
こうした現象を解決するために、筒状ワークの内側から孔を穿設する方法として、筒状ワークの中空部に沿った軸方向に移動可能なスライド部材と、スライド部材の軸方向への移動に伴って中空部内から周壁と交差する方向に駆動される打ち抜き部材とを備えており、スライド部材を軸方向上方に移動させることにより、スライド部材に設けられた第１ガイドとパンチ部材のテーパ部との摺接により、パンチ部材が筒状ワークの周壁方向に駆動されて、筒状ワークの周壁に孔を加工する方法がある（特許文献１）。
【０００６】
しかし、パンチ部材が案内されるハウジングに形成された第２スライド穴に対して、上向きの力が大きくかかり、第２スライド穴の上部が摩耗して筒状ワークの周壁に加工される孔の精度が低下するという問題があった。これは、スライド部材の第２ガイド部とパンチ部材のテーパ部との摺動によりパンチ部材が筒状ワークの周壁の孔から離脱する場合にも、第２スライド穴の下部が摩耗して同様の問題があった。また、筒状ワークの内径にスライド部材及びハウジングを配置する困難であるという問題があった。
【０００７】
【特許文献１】特開平５−２２０５２４号公報
【発明の開示】
【発明が解決しようとする課題】
【０００８】
本発明はこうした課題を鑑みてなされたものであり、組み立てが簡単であり、経の細い筒状ワークであっても容易にセットすることができ、かつ従来のプレス装置を利用して筒状ワークを内側から打ち抜き加工又は膨出加工することができる加工器具を提供することにある。
【課題を解決するための手段】
【０００９】
本発明は、上述の目的を達成するために、以下の手段を採った。
【００１０】
本発明の加工器具は、パイプ、管等の筒状ワークの周壁を内側から加工する加工器具において、
柱状の誘導部材と、
端部に加工部を有する柱状に形成され、前記誘導部材をスライド可能なスライド孔を柱状の軸と直交する方向に形成されたパンチ部材と、
外周壁に前記筒状ワークを配置可能な筒状に形成されてなり、前記パンチ部材の両端を案内するために周壁から反対の周壁まで貫通する案内孔と、前記誘導部材の両端を支持し、軸方向へ移動するのを防止するために周壁から反対の周壁まで貫通した規制孔とを有する筒状ワーク用冶具と、
前記筒状ワーク用冶具の筒内を軸方向にスライド可能な柱状に形成されてなり、前記パンチ部材を収容可能な周壁から反対周壁まで貫通した長孔状の開口を有する長孔溝と、前記誘導部材を収容可能な前記長孔溝と直交する方向に貫通した長孔状の開口面を有する誘導溝と、を備えたスライド部材と、を備え、
前記長孔溝は、スライド部材の軸方向に延びた長孔に形成されており、
少なくとも前記誘導溝の一部は、スライド部材の軸に対して角度を有しているか又は曲線であることを特徴とする。
【００１１】
本発明の加工器具は、スライド部材が筒状ワーク治具内でスライド移動するのに伴って、誘導部材を介して、パンチ部材が筒状ワーク治具の周壁と交差する方向に内側から押し出すように駆動される。これにより、筒状ワーク治具の外側に取り付けられた筒状ワークは、内側から穿孔又は膨出加工されることになる。本発明による加工器具によれば、穿孔した際に発生するバリを最小限に抑えることができ、仮にバリが発生したとしても、バリは筒状ワークの外側に発生するのでバリ取り加工も容易になる。また穿孔した際の抜きスクラップは筒状ワークの外側に発生する。従って、筒状ワークの外側から加工する場合のように、芯金の中に抜きスクラップが残留し、蓄積することがなく、芯金内のスクラップの処理の手間を軽減することができ、筒状ワークの内側でスクラップが引っかかるといった不具合の発生を防止することができる。また、さらに、筒状ワークの内側から外側へ加工するので、穿孔によって筒状ワークに形成される貫通孔の周囲が内側に凹むことを防止することができる。
【００１２】
さらに、パンチ部材は、誘導部材によって筒状ワーク用治具と交差する方向にのみ駆動されるので、案内孔の側面に力がかかるのを防止することができる。従って、案内孔が摩耗するのを防止することができる。また案内孔に力がかからないので筒状ワーク治具の側壁の厚さを薄く形成することができる。
【００１３】
さらに、本発明の加工器具は、従来複雑であった構造が単純で、かつ構成部品が少ないためにメンテナンス性にも優れる。また、パンチ部材や誘導部材は、それぞれ案内孔及び規制孔を介して筒状ワーク治具の外側から取り付けが可能であるので、加工される筒状ワークの内径が短くても取り付けることが可能である。また、加工の際も大がかりな専用機を必要とすることなく、既存のプレス機に装着して加工することができ、設備投資を最小限に抑えることができる。
【００１４】
また、本発明の加工器具において、前記誘導溝は、弧状に形成されていてもよい。
【００１５】
係る構成を採用することによって、スライド部材を一方向へスライドさせれば、誘導部材が弧状に移動し、この誘導部材の移動に伴ってパンチ部材を往復運動させることができる。従って、一工程で、パンチ部材が筒状ワークに貫通孔形成させた後、パンチ部材を貫通孔から離脱させることができる。
【００１６】
また、本発明の加工器具において、
柱状の誘導部材と、
端部に加工部を有する柱状に形成され、前記誘導部材をスライド可能なスライド孔を柱状の軸と直交する方向に形成されたパンチ部材と、
外周壁に前記筒状ワークを配置可能な筒状に形成されてなり、前記パンチ部材の両端を案内するために周壁から反対の周壁まで貫通する案内孔と、前記誘導部材の両端を支持し、軸方向へ移動するのを防止するために周壁から反対の周壁まで貫通した規制孔とを有する筒状ワーク用冶具と、
前記筒状ワーク用冶具の筒内を軸方向にスライド可能な柱状に形成されてなり、前記パンチ部材を収容可能な周壁から反対周壁まで貫通した長孔状の開口を有する長孔溝と、前記誘導部材を収容可能な前記長孔溝と直交する方向に貫通した長孔状の開口面を有する誘導溝と、を備えたスライド部材と、
からなる構成が加工器具に複数形成されていてもよい。
【００１７】
係る構成を採用することによって、パンチ部材を複数取り付けることが可能になり、筒状ワークに対して複数の貫通孔又は膨出部若しくはこれらの組み合わせを同時に加工することができる。また、筒状ワーク用治具の中心軸に対して角度が異なるようにパンチ部材を複数取り付ければ、筒状ワークの周壁に対して異なる位置、方向を有するパンチ孔を同時に加工することができる。これにより、従来、筒状ワークを回転させたり、別のパンチ器具を用いたり等の複数の工程が必要であったが、一度の工程で行うことができるようになる。一度の工程で行うことにより、各貫通孔又は膨出部の位置精度が高いものとなる。
【００１８】
また、本発明に加工器具において、複数の前記誘導溝の少なくとも１つは、形状が異なるものであってもよい。
【００１９】
係る構成を採用することにより、誘導溝の形状に応じて、それぞれ複数のパンチ部材の移動距離、移動開始時期を異ならせることができ、筒状ワークに対してパンチが加工するタイミングをずらすことができる。そのため、複数の貫通孔や膨出部を同時に加工する場合に対して、弱い圧力でスライド部材を移動することができる。
【００２０】
また、本発明の加工器具において、筒状ワーク用冶具の外周に設置される筒状ワークの外周に設置されるダイ部材を備えていてもよい。
【００２１】
係る構成を採用することにより、筒状ワークに対して剪断によって貫通孔を形成することができ、加工精度の高い貫通孔を穿設することができる。また、ダイ部材との剪断加工にすることによって、バリの発生を極力防止することができる。また、内側からの圧力による筒状ワークそのものの変形を防止することができる。
【発明の効果】
【００２２】
本発明に係る加工器具によれば、筒状ワークの内側から穿孔又は膨出の加工を行うことができる。また、穿孔した際に発生するバリを最小限に抑えることができ、仮にバリが発生したとしても外側に発生させることができ、バリ取り加工の容易な筒状ワークを形成することができる。さらに、パンチ部材は、誘導部材によって軸方向にのみ駆動されるので、案内孔の側面に力が係るのを防止することができ、その結果、案内孔が摩耗するのを防止することができ、かつ筒状ワーク治具の側壁の厚さを薄く形成することができる。
【図面の簡単な説明】
【００２３】
【図１】第１実施形態に係る穿孔器具１００及び加工される鉄パイプ９０の構成を示す斜視図である。
【図２】第１実施形態に係る穿孔器具１００のパンチ１０及び誘導ピン２０の構成を示す斜視図である。
【図３】第１実施形態に係る穿孔器具１００のパンチ１０の構成を示す側面図である。
【図４】第１実施形態に係る穿孔器具１００のスライド棒３０の構成を示す斜視図である。
【図５】第１実施形態に係る穿孔器具１００のスライド棒３０の構成を示す正面図、右側面図及びＡ−Ａ断面図である。
【図６】第１実施形態に係る穿孔器具１００の鉄パイプ用治具４０の構成を示す正面、左側面及び平面を表す図である。
【図７】第１実施形態に係る穿孔器具１００のダイ５０を示す斜視図である。
【図８】第１実施形態に係る穿孔器具１００に鉄パイプ９０をセットしたときの状態を示す一部切断斜視図である。
【図９】第１実施形態に係る穿孔器具１００に鉄パイプ９０をセットしたときの状態を示す斜視図である。
【図１０】第１実施形態に係る穿孔器具１００の使用工程の一部を示す断面図である。
【図１１】第１実施形態に係る穿孔器具１００の使用工程の一部を示す断面図である。
【図１２】第１実施形態に係る穿孔器具１００の使用工程の一部を示す断面図である。
【図１３】第２実施形態に係る穿孔器具１００のパンチ１０及び応力変換装置２００の構成を示す斜視図である。
【図１４】本発明のパンチ部材の変形例を示す断面図である。
【図１５】本発明の誘導溝の変形例を示す断面図である。
【発明を実施するための形態】
【００２４】
以下、本発明を実施するための形態について、図を参照しつつ説明する。本発明の加工器具は、円形、矩形、その他の断面を有する筒状ワークを内側から加工する器具であり、筒状ワークの周壁に穿孔又は凸状の膨出部を形成するものである。本発明の加工器具は、筒状ワークを内側から穿孔又は膨出部を形成加工するパンチ部材と、このパンチ部材を誘導する誘導部材と、筒状ワークを取り付け、位置決めする筒状の筒状ワーク用治具と、この筒状ワーク用治具内をスライド可能に形成された棒状の部材であって、筒状ワーク用治具内をスライドすることにより、誘導部材を可動させるスライド部材と、を備えている。筒状ワークとは、軸方向に中空部を有する筒状、パイプ状のものを指し、断面は円形、矩形、星形等その断面は問わない。
【００２５】
パンチ部材は、主として、筒状ワークを直接加工する部材である。柱状に形成されていて、片方又は両方の柱状の端面に形成される加工部を筒状ワークの内側から押圧することによって、筒状ワークの側壁に貫通孔又は膨出部を形成する機能を有する。パンチ部材の軸方向に対して垂直断面の形状は限定するものではなく、円形、矩形、星型、ハート型等任意の断面形状を採用することができる。パンチ部材の端面形状によって、筒状ワークの周壁に形成される貫通孔又は凸状の膨出部の形状が決定されることになる。加工部をなす端面は、筒状ワークに穿孔を施す場合には、端面周囲に刃を有する切断用のパンチ面とし、一方、筒状ワークを内側から押圧して凸面を形成する場合には、凸型の端面に形成するとよい。パンチ部材の長さは筒状ワーク用治具の外周の直径より短く形成するとよい。
【００２６】
誘導部材は、スライド部材のスライドの動きを、筒状ワーク用器具の周壁に交差する方向のパンチ部材の動きに伝達して、パンチ部材を筒状ワークへ誘導する機能を有する部材である。パンチ部材と同様に柱状に形成される。また、誘導部材は、筒状ワーク治具の軸方向へは移動しないように、筒状ワーク治具の筒の外周より短く、内周より長く形成される。誘導部材は、パンチ部材を誘導部材の軸方向に移動可能なように柱状の軸が互いに交差するように組み付けられる。このように形成することで、誘導部材がパンチ部材の軸方向に移動すると、パンチ部材の端面位置は移動することになる。このような組み付け方法としては、例えば、パンチ部材に誘導部材を挿入可能な貫通孔を形成し、この貫通孔に挿入することで達成できる（図２参照）が、これに限定するものではない。また、組み付けた後に誘導部材とパンチ部材の相対位置を固定する手段を別途設けてもよい。誘導部材は、筒状ワーク用治具の規制孔に架設されている。
【００２７】
筒状ワーク用治具は、加工される筒状ワークをセットするための治具としての機能と、パンチ部材及び誘導部を一定方向への移動に規制する機能を有する。筒状ワーク断面の内側形状とほぼ同様の形状を有する筒状の部材に作製される。すなわち、矩形の筒状部材であれば、断面の内側の四角形と同じ形状の筒状の部材に作製され、円筒の筒状ワークであれば、内径と同じ外径を有する筒状の部材に作成される。また、筒状ワーク用治具には、貫通する案内孔と貫通する規制孔がそれぞれ直交するように筒状ワーク用治具に形成されている。案内孔は、パンチ部材のパンチ部の形状と同じ形状に周壁に形成された孔であり、パンチ部材を筒状ワーク用治具の周壁と交差する方向にのみ移動するように規制する。一方、規制孔は、誘導部材を筒状ワーク治具の軸方向へ移動するのを制限し、パンチ部材を周壁と交差する方向に移動できるように形成された筒状の軸に対して直交する周壁に形成された長孔である。案内孔と規制孔は、組み付けられたパンチ部材と誘導部材とが取り付け可能なように、それぞれが直交して形成される。この案内孔と規制孔によって、筒状ワーク用冶具にセットされたパンチ部材と誘導部材は、筒状ワーク用治具に関しては、パンチ部材が周壁に交差する方向にのみ移動可能になる。
【００２８】
スライド部材は、筒状ワーク用治具の筒内にスライド可能な状態で配置されるものであり、このスライド移動することによって、誘導部材を横長の規制孔上を移動させる機能を有し、ひいては、パンチ部材を移動する機能を有する。スライド部材には、スライド部材の軸に対して斜めの誘導溝や弧状の誘導溝、一部のみカーブした溝等である。この誘導溝に誘導部材が配置されているので、スライド部材を筒状ワーク用冶具内でスライド移動した際に、規制孔によって筒状ワーク用治具の軸方向への移動が規制されているので、誘導部材は誘導溝の位置に伴って横方向へ移動していくことになる。この誘導部材の移動によって、誘導部材と連結されているパンチ部材は、筒状ワーク治具の周壁に対して交差する方向へ移動する。したがって、誘導溝の形状を変更することによって、パンチ部材の移動の長さ、移動のタイミング等を自在に変更することができる。
【００２９】
さらに、本発明においては、ダイ部材を備えていてもよい。ダイ部材は、パンチ部材との関係で本来のダイ部材の機能を有する他、筒状ワークのバリ発生防止、パンチ部材の圧力による筒状ワークの変形の防止の機能を有する。本発明においては、ダイ部材は筒状ワークの外側に配置されることになる。ダイ部材は、筒状ワーク断面の外壁形状と同様の形状を有する貫通孔を有する筒状の部材に作成される。すなわち、矩形の筒状部材であれば、断面の外側の四角形と同じ形状の筒状の部材に作成され、円筒の筒状ワークであれば、外径と同じ内径を有する筒状の部材に作製される。そして、パンチ部材が稼働される部分にダイ孔が形成される。
【実施例１】
【００３０】
以下、本発明の実施例について、図面に沿って詳細に説明する。なお、以下に説明する実施例及び図面は、本発明の実施形態の一部を例示するものであり、これらの構成に限定する目的に使用されるものではない。また、各図において対応する構成要素には同一又は類似の符号が付されている。
【００３１】
本発明の実施例を説明するにあたり、実施例の構成要素と本発明の構成要素との対応関係を明らかにする。本実施例における穿孔器具１００が加工器具に相当し、鉄パイプ９０が筒状ワークに相当し、パンチ１０がパンチ部材に相当し、誘導ピン２０が誘導部材に相当し、スライド棒３０がスライド部材に相当し、長孔溝３１が長孔溝に相当し、弧状溝３２が誘導溝に相当し、鉄パイプ用治具４０が筒状ワーク用治具に相当し、誘導ピン規制孔４４が規制孔に相当し、パンチ用案内孔４３が案内孔に相当し、ダイ５０がダイ部材に相当する。
【００３２】
図１は、第１実施例に係る穿孔器具１００及び加工される鉄パイプ９０の構成を示す斜視図である。第１実施例に係る穿孔器具１００は、主として、鉄パイプ９０に貫通孔を穿孔するパンチ１０、このパンチ１０を誘導する誘導ピン２０、パンチ１０の動きを誘導ピン２０を介して制御するスライド棒３０、加工時に鉄パイプ９０の位置決めを行うための鉄パイプ用治具４０、鉄パイプ９０の外側に配置されるダイ５０とを備えている。
【００３３】
パンチ１０は、図２に示すように、全体が円柱状をなしており、中央に後述する誘導ピン２０を内側に挿入するためのピン挿入用貫通孔１１が軸αと直交するように設けられている。パンチ１０の両端は、図３に示すように、凹面をなし、端辺１２が刃として機能して鉄パイプ９０に孔を開け易くなっている。パンチ１０の軸α方向の長さは、後述する鉄パイプ用治具４０の円筒治具４１の外周直径より若干短く形成されている。
【００３４】
誘導ピン２０は、図２に示すように、パンチ１０のピン挿入用貫通孔１１の内径とほぼ同径の外径を有する円柱状である。ピン挿入用貫通孔１１に内側に挿入されると、パンチ１０及び誘導ピン２０は、十字状の部材である。誘導ピン２０の軸β方向の長さは、後述する鉄パイプ用治具４０の円筒治具４１の外周直径より若干短く形成されている。
【００３５】
スライド棒３０は、図４、図５に示すように、円柱状の鉄の棒からなり、周壁から長孔形状の長孔溝３１及びこの長孔溝３１と直交するように周壁から弧状の弧状溝３２がそれぞれ設けられている。すなわち、長孔溝３１と弧状溝３２はそれぞれ９０°角度がずれている。なお、図４ａはスライド棒３０の外観斜視図であり、図４ｂは隠線を表した斜視図である。また、図５は、それぞれスライド棒３０の正面図、右側面図及びＡ−Ａ断面図を示す。長孔溝３１は、図４に示すように、開口部がスライド棒３０の軸γ方向に長軸を有する直線状の長孔に形成される。長孔溝３１の開口の幅Ｂはパンチ１０の外径とほぼ同じ長さに形成される。長孔溝３１には、図５に示すようにパンチ１０が配置され、パンチ１０は長孔溝３１内を長軸方向（矢印Ｃ）に移動可能である。一方、弧状溝３２の開口は、スライド棒３０の軸γ方向に長い弧状の長孔に形成される。弧状溝３２の開口の幅は、誘導ピン２０の直径とほぼ同じ長さに形成される。弧状溝３２には、誘導ピン２０が収容され、誘導ピン２０は弧状の貫通孔内を弧状方向（矢印Ｄ）に移動可能となる。詳細は後述するが、パンチ１０の移動は、誘導ピン２０の移動と連動して移動することになるので、弧状溝３２の長さは、長孔溝３１の長軸長さに応じて決定される。具体的には、弧状溝３２は、パンチ１０の中心が長孔溝３１内でした移動距離（Ｅ）と、誘導ピン２０の中心が弧状溝３２を移動した場合の直線距離（Ｆ）とが同じ距離となるように設計される。こうして形成される１組の長孔溝３１及び弧状溝３２が、スライド棒３０の軸方向にずらして４組設けられている。それぞれの組は、スライド棒３０の外周方向に対して９０°づつ回転して（螺旋状に）設けられている。
【００３６】
鉄パイプ用治具４０は、図６に示すように、円筒治具４１と台座４２とを備えている。なお、図６は、鉄パイプ用治具４０の斜視図を示し、図６ａは鉄パイプ用治具４０の外観斜視図であり、図６ｂは隠線を表した斜視図である。円筒治具４１は、スライド棒３０の外径とほぼ同様の大きさの内径を有する円筒状に形成されており、筒内にスライド棒３０をスライド可能に挿入することができる。円筒治具４１の円周面には、スライド棒３０の長孔溝３１に挿入されたパンチ１０の配置と同様の配置となるように、パンチ１０の直径とほぼ同じ直径を有するパンチ用案内孔４３が形成されていて、パンチ１０は周壁に対して交差する方向、すなわち直径方向（パンチ１０がパンチ用案内孔４３を出入りする方向）の移動のみに規制される。また、スライド棒３０の弧状溝３２に配置される誘導ピン２０の配置と同様の配置となり、誘導ピンが連通するように誘導ピン規制孔４４が設けられている。誘導ピン規制孔４４は、円筒治具４１の軸方向（δ）の幅は誘導ピン２０の直径と同じ幅に形成され、軸方向δと垂直な方向に長軸を有する長孔に形成される。誘導ピン２０が弧状溝３２を移動する際に軸方向に対して垂直方向へスライドするので、そのスライド長さ（Ｇ）（図５）と同様の長さの長軸（Ｇ’）（図６）を有する長孔に形成される。台座４２は、円筒治具４１を中央に固定しており、その中央には、円筒治具４１の内径と同様の内径の台座貫通孔４６が、円筒治具４１から連通して底面まで設けられている。また、台座４２の円筒治具４１の周囲には、４つの台座貫通孔４５が設けられている。
【００３７】
ダイ５０は、図７に示すように、加工される鉄パイプ９０を鉄パイプ用治具４０に取り付けた後に、鉄パイプ９０の周囲から覆うものであり、加工される鉄パイプ９０の外径とほぼ同じ内径の筒状ワーク挿入孔５１を有する直方体に形成されている。周壁には、図７に示すスライド棒３０の長孔溝３１に収容されたパンチ１０の配置と同様の配置となり、パンチ１０が連通するように、パンチ１０の直径とほぼ同じ直径を有するダイ孔５２が形成されている。さらに、ダイ５０の底面には、鉄パイプ用治具４０に設置した場合に台座貫通孔４５に対応する位置に、ダイ固定用穴５３が４つ設けられている。
【００３８】
以上のように構成された穿孔器具１００及び加工される鉄パイプ９０は、以下のようにして使用される。
【００３９】
まず、図１に示すように、鉄パイプ用治具４０の円筒治具４１内にスライド棒３０を挿入する。そして、長孔溝３１をパンチ用案内孔４３に一致させて、それぞれの孔にパンチ１０を挿入する。次に、弧状溝３２、誘導ピン規制孔４４及びピン挿入用貫通孔１１を一致させて、それぞれの孔に誘導ピン２０を挿入する。こうして、パンチ１０は、誘導ピン２０と交差した状態であり、この状態で誘導ピン２０が弧状溝３２内を移動すると、誘導ピン規制孔内を移動し、それに伴ってパンチ１０も移動することになる。この段階で、図８のＨに示すように、それぞれスライド棒３０、パンチ１０及び誘導ピン２０が、鉄パイプ用治具４０に取り付けられる。次に、鉄パイプ用治具４０に加工を施す鉄パイプ９０を円筒治具４１の外側に嵌め込む。さらに、鉄パイプ９０の周囲を覆うようにダイ５０を取り付ける。ダイ５０は、鉄パイプ用治具４０の形成されたパンチ用案内孔４３とダイ孔が一致するように取り付ける。ダイ５０は、ボルト６０（図１参照）で鉄パイプ用治具４０の底面側から台座貫通孔４５を介してダイのダイ固定用穴５３に螺合することで固定することができる。こうして穿孔器具１００の各構成の取り付けが完了する（図９）。
【００４０】
鉄パイプ９０が取り付けられた穿孔器具１００は、公知のプレス装置に取り付けられて、鉄パイプ９０の内側から孔が穿孔される。図１０、１１及び１２には、鉄パイプ９０が穿孔される一連の工程が示されている。説明の便宜のため、下から２番目に配置されたパンチ１０及び誘導ピン２０（図１０aのIの部分）を用いて一連の動きを説明する。図１０ａの状態では、パンチ１０及び誘導ピン２０のいずれも長孔溝３１及び弧状溝３２の下端に位置し、パンチ１０の端面及び誘導ピン２０のいずれも、パンチ用案内孔４３及び誘導ピン規制孔（図示せず。）に挿入されていて、かつ円筒冶具４１の外周より内側に配置されている。この状態からプレス装置等により、スライド棒３０を鉄パイプ用冶具４０に圧入していくと、図１０ｂに示すように、長孔溝３１及び弧状溝３２は下方に移動していく。しかし、パンチ１０及び誘導ピン２０は、それぞれパンチ用案内孔４３及び誘導ピン規制孔４４によってスライド棒３０の移動方向への移動は規制される。そのため、パンチ１０の位置は相対的に、長孔溝３１の上方にスライドしていき、誘導ピン２０は、弧状溝３２の上方にスライドしていくことになる。このときに、誘導ピン２０は、弧状溝３２の弧状の形状に沿って、スライド棒３０の軸方向と垂直方向（図１０ｂの左側方向）へ相対的に移動していくことになる。この誘導ピン２０の水平方向への移動に伴って、パンチ１０も同方向（図１０の左側方向）へ移動することになる。このパンチ１０の移動によって、パンチ１０の刃は、鉄パイプ９０の内側から押圧することになる。
【００４１】
さらに、スライド棒３０を圧入していくと、図１１ａに示すように、誘導ピン２０は、弧状溝３２をスライドして最も左側へ移動し、これに伴ってパンチ１０は、鉄パイプ９０を完全に貫通しダイ５０に形成されたダイ孔５２に挿入されていく。この動作によって、鉄パイプ９０は、パンチ１０とダイ５０に形成されたダイ孔５２との境界でせん断され、貫通孔が穿設される。スクラップ９１は、ダイのダイ孔５２から外へ排出される
【００４２】
さらに、スライド棒３０を圧入していくと、図１１ｂに示すように、誘導ピン２０は、弧状溝３２の上方へさらにスライドし、弧状溝３２の最も左側に配置される溝を通り越して、逆に右側へ押し戻されることになる。パンチ１０はこの誘導ピン２０の動きに連動して、ダイ５０側から鉄パイプ用冶具４０内へ引き戻される。さらにスライド棒３０を圧入することによって、図１２に示すように、パンチ１０及び誘導ピン２０は、それぞれ長孔溝３１及び弧状溝３２の上端までスライド移動される。そして、誘導ピン２０は、スライド棒３０を圧入する前の位置まで復帰され、それに伴いパンチ１０も初期位置まで復帰し、完全に鉄パイプ用冶具４０内に配置される。これにより、スライド棒３０を初期位置まで復帰させることなく、直ちに鉄パイプ９０を交換して加工することができる。
【００４３】
その後、加工された鉄パイプ９０が鉄パイプ用冶具４０から引き抜き、穿孔された鉄パイプ９０が完成する。
【００４４】
次に、新たな鉄パイプ９０を加工する場合は、スライド棒３０下側から圧入し、初期位置まで復帰させた後に同様の加工を行ってもよいし、スライド棒３０が下方位置にある状態のまま新しい鉄パイプ９０を装着し、下側から圧入して加工してもよい。この場合は、前述した加工段階の逆をたどるが、パンチ１０は同様の動きをして、鉄パイプ９０を加工することができる。下方からのスライド棒３０の圧入については、油圧、水圧等のプレス装置、バネ等の弾性部材等種々の公知技術を用いることができる。
【実施例２】
【００４５】
図１３に実施例２に係る穿孔器具１００と、プレス方向に対して直角の方向へ力の方向を変化させる応力変換装置２００とを備えている。
【００４６】
穿孔器具１００は、実施例１に記載されたスライド棒３０に設けられた弧状溝３２に代えて、傾斜溝３２ａが設けられている。この傾斜溝３２ａの開口は、スライド棒３０の軸εに対して角度を有する直線状の長孔に形成されている。その他の構成は実施例１と同様であるので、省略する。
【００４７】
応力変換装置２００は、プレス等の押圧装置（図示しない。）からの力を受ける被押圧部材２１０と、該被押圧部材から受けた力Ｊの方向を直角方向（Ｋ）へ変換する変換部材２２０と、この変換部材２２０を穿孔器具１００側へ付勢するバネ２３０と、変換部材２２０の移動方向及び距離を制御する移動制御部材２４０と、これらの部品をプレス装置に固定するためのベースプレート２５０とを備えている。
【００４８】
被押圧部材２１０は、プレス等の力を受ける被押圧面２１１と、プレスの力の方向Ｊを変化させるためにプレス方向に対し、４５°の傾斜面２１３を有する変換部材押圧部２１２と、を備えている。
【００４９】
変換部材２２０は、変換部材押圧部２１２と同様の角度を有し、被押圧面２１１と摺動する摺動面２２１を備えている。変換部材押圧部２１２からの力によって、プレス方向に対して直角方向（Ｋ）へスライド移動される。変換部材は、制御棒２４１と連結されており、変換部材２２０のスライド移動の方向は、ベースプレート２５０に固定された固定部材２４２及びこの固定部材２４２に対して一定方向のみにスライド可能に形成された制御棒２４１によって決定される。また、変換部材２２０のスライド移動方向と反対の面には、スライド棒３０の底面が取り付けられ、変換部材２２０のスライド移動に伴って、スライド棒３０が移動する。一方、スライド棒３０が取り付けられた面と反対の面には、バネ２３０が取り付けられていて、プレスによる変換部材のスライド方向（Ｋ）と反対の方向へ付勢されている。従って、プレスによる圧力がなくなると、変換部材は図１３における右側（初期位置）へ戻されることになる。さらにバネ２３０の他方側は、移動制御部材２４０に取り付けられている。
【００５０】
こうして構成された応力変換装置２００によれば、図１３ａの状態からプレス装置によって矢印Ｊの方向に押圧すると、変換部材２２０は矢印Ｋの方向へスライド移動する（１３ｂ）。このスライド移動によって、スライド棒３０も同様に矢印Ｋの方向に移動する。これにより、誘導ピン２０は、傾斜溝２３ａをスライドし、パンチ１０を移動させる。このパンチ１０の移動により実施例１と同様に鉄パイプ９０は穿孔される。こうして鉄パイプ９０の穿孔が終了し、プレス装置を開放すると、バネ２３０の作用によって、穿孔器具１００は初期の位置に復帰される。その後、穿孔された鉄パイプ９０を抜き取った後、新たな鉄パイプ９０を挿入して再度プレス装置を起動すれば、同様に鉄パイプに貫通孔を穿設することができる。
【００５１】
このようにスライド棒３０をプレス方向に対して直角に変換させる装置を使用することによって、スライド棒３０の端部からプレス装置で押圧する必要がなくなり、スライド棒３０より長い鉄パイプ９０を使用することが可能になる。また、誘導溝として軸と角度を有する直線状の誘導溝３２ａを使用すれば、パンチ１０の移動ストロークを長くすることができ、パンチに必要な圧力を弱くすることができる。
【００５２】
なお、上述した実施例では、穿孔器具１００を用いて説明したが、図１４に示すように、パンチ１０の端面が凸状の形状を有するパンチ１０を使用すれば、鉄パイプ９０の側壁を突出させた膨出部を形成することができる。
【００５３】
また、上述した実施例では、誘導溝として弧状溝３２又は傾斜を有する傾斜溝３２ａを用いて説明したが、誘導溝は、円筒治具の軸と平行する直線状の長孔以外であれば、その溝の形状は限定するものではない。図１５の３２ｂに示すように、一部が直線で途中から弧状に形成された誘導溝３２ｂを使用すれば、パンチ１０の移動開始時期を遅らせることができる。さらに、誘導溝の形状は、図１５に示すように、誘導溝３２ａ、３２ｂのように、異なる形状の誘導溝用いることで、パンチ１０の移動ストロークや移動開始時期をコントロールすることができる。
【００５４】
また、上述した実施例では、パンチ１０及び誘導ピン２０の角度を９０°ずつずらして配置したが、これに限定されるものではなく、要求される製品に応じて任意の角度で穿設することができるように、任意の角度で設置できるようにスライド棒３０及び鉄パイプ用治具４０を作製することができる。また、それぞれの設置する位置も等間隔である必要はなく、任意の間隔で配置することができる。
【００５５】
また、上述した実施例では、ダイの形状として矩形のものを使用したが、これに限定するものではなく、円筒形や多角形等であってもよい。
【産業上の利用可能性】
【００５６】
上述した実施形態で示すように、鉄パイプ等の筒状ワークを内側から加工する加工器具として、産業上利用可能である。
【符号の説明】
【００５７】
１０…パンチ、１１…ピン挿入用貫通孔、１２…端辺、２０…誘導ピン、２３ａ…傾斜溝、３０…スライド棒、３１…長孔溝、３２…弧状溝、３２ａ…傾斜溝、３２ｂ…誘導溝、４０…鉄パイプ用治具、４１…円筒治具、４２…台座、４３…パンチ用案内孔、４４…誘導ピン規制孔、４５…台座貫通孔、４６…台座貫通孔、５０…ダイ、５１…筒状ワーク挿入孔、５２…ダイ孔、５３…ダイ固定用穴、６０…ボルト、９０…鉄パイプ、９１…スクラップ、１００…穿孔器具、２００…応力変換装置、２１０…被押圧部材、２１１…被押圧面、２１２…変換部材押圧部、２１３…傾斜面、２２０…変換部材、２２１…摺動面、２３０…バネ、２４０…移動制御部材、２４１…制御棒、２４２…固定部材、２５０…ベースプレート。
【図１】
2011255399.tif 000003
【図２】
2011255399.tif 000004
【図３】
2011255399.tif 000005
【図４】
2011255399.tif 000006
【図５】
2011255399.tif 000007
【図６】
2011255399.tif 000008
【図７】
2011255399.tif 000009
【図８】
2011255399.tif 000010
【図９】
2011255399.tif 000011
【図１０】
2011255399.tif 000012
【図１１】
2011255399.tif 000013
【図１２】
2011255399.tif 000014
【図１３】
2011255399.tif 000015
【図１４】
2011255399.tif 000016
【図１５】
2011255399.tif 000017
【手続補正書】
【提出日】平成23年8月31日(2011.8.31)
【手続補正１】
【補正対象書類名】明細書
【補正対象項目名】全文
【補正方法】変更
【補正の内容】
【発明の詳細な説明】
【技術分野】
【０００１】
本発明は、パイプ等の筒状ワークの周壁を内側から加工して、周壁に貫通孔又は膨出部を形成する加工器具に関する。
【背景技術】
【０００２】
現在、鉄パイプ等の筒状ワークの周壁に貫通孔を穿設する加工方法としては、筒状ワーク内側に芯金を設置し、外側からパンチで打抜く打抜加工方法又はドリルによる切削穿孔加工方法が主流である。
【０００３】
しかし、いずれの加工方法も筒状ワーク外側から穿孔加工を行うため、筒状ワークの内側にバリが発生する。このバリが原因となって、芯金への食いつき、加工器具への食いつきが発生する場合があり、作業性の低下を招いていた。また、製品となる筒状ワークは、後工程でバリを除去する加工が必要な場合がある。しかし、筒状ワークの内側に発生したバリを除去する加工は困難かつ煩雑であり、特に径の細い筒状ワークの場合や穿孔した孔が小さい場合は、バリ除去加工が不可能な場合もあった。一方で、加工する筒状ワークの寸法公差を考慮すると、芯金の外径は筒状ワーク内径よりも若干短く作製する必要があるため、筒状ワークと芯金との間に隙間が発生することが避けられず、外側から加工する方法でバリの発生を完全に防止することは不可能であった。
【０００４】
また、外側から加工する方法では筒状ワーク外側から圧力がかかるため、穿設した貫通孔の周囲が内側に凹んでしまうという現象が発生した。
【０００５】
こうした現象を解決するために、筒状ワークの内側から孔を穿設する方法として、筒状ワークの中空部に沿った軸方向に移動可能なスライド部材と、スライド部材の軸方向への移動に伴って中空部内から周壁と交差する方向に駆動される打ち抜き部材とを備えており、スライド部材を軸方向上方に移動させることにより、スライド部材に設けられた第１ガイドとパンチ部材のテーパ部との摺接により、パンチ部材が筒状ワークの周壁方向に駆動されて、筒状ワークの周壁に孔を加工する方法がある（特許文献１）。
【０００６】
しかし、パンチ部材が案内されるハウジングに形成された第２スライド穴に対して、上向きの力が大きくかかり、第２スライド穴の上部が摩耗して筒状ワークの周壁に加工される孔の精度が低下するという問題があった。これは、スライド部材の第２ガイド部とパンチ部材のテーパ部との摺動によりパンチ部材が筒状ワークの周壁の孔から離脱する場合にも、第２スライド穴の下部が摩耗して同様の問題があった。また、筒状ワークの内径にスライド部材及びハウジングを配置する困難であるという問題があった。
【０００７】
【特許文献１】特開平５−２２０５２４号公報
【発明の開示】
【発明が解決しようとする課題】
【０００８】
本発明はこうした課題を鑑みてなされたものであり、組み立てが簡単であり、経の細い筒状ワークであっても容易にセットすることができ、かつ従来のプレス装置を利用して筒状ワークを内側から打ち抜き加工又は膨出加工することができる加工器具を提供することにある。
【課題を解決するための手段】
【０００９】
本発明は、上述の目的を達成するために、以下の手段を採った。
【００１０】
本発明の加工器具は、パイプ、管等の筒状ワークの周壁を内側から加工する加工器具において、
円柱状の誘導部材と、
端部に加工部を有する柱状に形成され、前記誘導部材をスライド可能なスライド孔を柱状の軸と直交する方向に形成されたパンチ部材と、
外周壁に前記筒状ワークを配置可能な筒状に形成されてなり、前記パンチ部材の両端を案内するために周壁から反対の周壁まで貫通する案内孔と、前記誘導部材の両端を支持し、前記筒状ワークの軸方向と垂直な方向に長軸を有する長孔に形成され、前記筒状ワークの軸方向へ移動するのを防止するために周壁から反対の周壁まで貫通した規制孔とを有する筒状ワーク用冶具と、
前記筒状ワーク用冶具の筒内を軸方向にスライド可能な柱状に形成されてなり、前記パンチ部材を収容可能な周壁から反対周壁まで貫通した長孔状の開口を有する長孔溝と、前記誘導部材を収容可能な前記長孔溝と直交する方向に貫通した長孔状の開口面を有する誘導溝と、を備えたスライド部材と、を備え、
前記長孔溝は、スライド部材の軸方向に延びた長孔に形成されており、
少なくとも前記誘導溝の一部は、スライド部材の軸に対して角度を有しているか又は曲線であることを特徴とする。
【００１１】
本発明の加工器具は、スライド部材が筒状ワーク治具内でスライド移動するのに伴って、誘導部材を介して、パンチ部材が筒状ワーク治具の周壁と交差する方向に内側から押し出すように駆動される。これにより、筒状ワーク治具の外側に取り付けられた筒状ワークは、内側から穿孔又は膨出加工されることになる。本発明による加工器具によれば、穿孔した際に発生するバリを最小限に抑えることができ、仮にバリが発生したとしても、バリは筒状ワークの外側に発生するのでバリ取り加工も容易になる。また穿孔した際の抜きスクラップは筒状ワークの外側に発生する。従って、筒状ワークの外側から加工する場合のように、芯金の中に抜きスクラップが残留し、蓄積することがなく、芯金内のスクラップの処理の手間を軽減することができ、筒状ワークの内側でスクラップが引っかかるといった不具合の発生を防止することができる。また、さらに、筒状ワークの内側から外側へ加工するので、穿孔によって筒状ワークに形成される貫通孔の周囲が内側に凹むことを防止することができる。
【００１２】
さらに、パンチ部材は、誘導部材によって筒状ワーク用治具と交差する方向にのみ駆動されるので、案内孔の側面に力がかかるのを防止することができる。従って、案内孔が摩耗するのを防止することができる。また案内孔に力がかからないので筒状ワーク治具の側壁の厚さを薄く形成することができる。
【００１３】
さらに、本発明の加工器具は、従来複雑であった構造が単純で、かつ構成部品が少ないためにメンテナンス性にも優れる。また、パンチ部材や誘導部材は、それぞれ案内孔及び規制孔を介して筒状ワーク治具の外側から取り付けが可能であるので、加工される筒状ワークの内径が短くても取り付けることが可能である。また、加工の際も大がかりな専用機を必要とすることなく、既存のプレス機に装着して加工することができ、設備投資を最小
限に抑えることができる。
【００１４】
また、本発明の加工器具において、前記誘導溝は、弧状に形成されていてもよい。
【００１５】
係る構成を採用することによって、スライド部材を一方向へスライドさせれば、誘導部材が弧状に移動し、この誘導部材の移動に伴ってパンチ部材を往復運動させることができる。従って、一工程で、パンチ部材が筒状ワークに貫通孔形成させた後、パンチ部材を貫通孔から離脱させることができる。
【００１６】
また、本発明の加工器具において、
円柱状の誘導部材と、
端部に加工部を有する柱状に形成され、前記誘導部材をスライド可能なスライド孔を柱状の軸と直交する方向に形成されたパンチ部材と、
外周壁に前記筒状ワークを配置可能な筒状に形成されてなり、前記パンチ部材の両端を案内するために周壁から反対の周壁まで貫通する案内孔と、前記誘導部材の両端を支持し、前記筒状ワークの軸方向と垂直な方向に長軸を有する長孔に形成され、筒状ワークの軸方向へ移動するのを防止するために周壁から反対の周壁まで貫通した規制孔とを有する筒状ワーク用冶具と、
前記筒状ワーク用冶具の筒内を軸方向にスライド可能な柱状に形成されてなり、前記パンチ部材を収容可能な周壁から反対周壁まで貫通した長孔状の開口を有する長孔溝と、前記誘導部材を収容可能な前記長孔溝と直交する方向に貫通した長孔状の開口面を有する誘導溝と、を備えたスライド部材と、
からなる構成が加工器具に複数形成されていてもよい。
【００１７】
係る構成を採用することによって、パンチ部材を複数取り付けることが可能になり、筒状ワークに対して複数の貫通孔又は膨出部若しくはこれらの組み合わせを同時に加工することができる。また、筒状ワーク用治具の中心軸に対して角度が異なるようにパンチ部材を複数取り付ければ、筒状ワークの周壁に対して異なる位置、方向を有するパンチ孔を同時に加工することができる。これにより、従来、筒状ワークを回転させたり、別のパンチ器具を用いたり等の複数の工程が必要であったが、一度の工程で行うことができるようになる。一度の工程で行うことにより、各貫通孔又は膨出部の位置精度が高いものとなる。
【００１８】
また、本発明に加工器具において、複数の前記誘導溝の少なくとも１つは、形状が異なるものであってもよい。
【００１９】
係る構成を採用することにより、誘導溝の形状に応じて、それぞれ複数のパンチ部材の移動距離、移動開始時期を異ならせることができ、筒状ワークに対してパンチが加工するタイミングをずらすことができる。そのため、複数の貫通孔や膨出部を同時に加工する場合に対して、弱い圧力でスライド部材を移動することができる。
【００２０】
また、本発明の加工器具において、筒状ワーク用冶具の外周に設置される筒状ワークの外周に設置されるダイ部材を備えていてもよい。
【００２１】
係る構成を採用することにより、筒状ワークに対して剪断によって貫通孔を形成することができ、加工精度の高い貫通孔を穿設することができる。また、ダイ部材との剪断加工にすることによって、バリの発生を極力防止することができる。また、内側からの圧力による筒状ワークそのものの変形を防止することができる。
【発明の効果】
【００２２】
本発明に係る加工器具によれば、筒状ワークの内側から穿孔又は膨出の加工を行うことができる。また、穿孔した際に発生するバリを最小限に抑えることができ、仮にバリが発生したとしても外側に発生させることができ、バリ取り加工の容易な筒状ワークを形成することができる。さらに、パンチ部材は、誘導部材によって軸方向にのみ駆動されるので、案内孔の側面に力が係るのを防止することができ、その結果、案内孔が摩耗するのを防止することができ、かつ筒状ワーク治具の側壁の厚さを薄く形成することができる。
【図面の簡単な説明】
【００２３】
【図１】第１実施形態に係る穿孔器具１００及び加工される鉄パイプ９０の構成を示す斜視図である。
【図２】第１実施形態に係る穿孔器具１００のパンチ１０及び誘導ピン２０の構成を示す斜視図である。
【図３】第１実施形態に係る穿孔器具１００のパンチ１０の構成を示す側面図である。
【図４】第１実施形態に係る穿孔器具１００のスライド棒３０の構成を示す斜視図である。
【図５】第１実施形態に係る穿孔器具１００のスライド棒３０の構成を示す正面図、右側面図及びＡ−Ａ断面図である。
【図６】第１実施形態に係る穿孔器具１００の鉄パイプ用治具４０の構成を示す正面、左側面及び平面を表す図である。
【図７】第１実施形態に係る穿孔器具１００のダイ５０を示す斜視図である。
【図８】第１実施形態に係る穿孔器具１００に鉄パイプ９０をセットしたときの状態を示す一部切断斜視図である。
【図９】第１実施形態に係る穿孔器具１００に鉄パイプ９０をセットしたときの状態を示す斜視図である。
【図１０】第１実施形態に係る穿孔器具１００の使用工程の一部を示す断面図である。
【図１１】第１実施形態に係る穿孔器具１００の使用工程の一部を示す断面図である。
【図１２】第１実施形態に係る穿孔器具１００の使用工程の一部を示す断面図である。
【図１３】第２実施形態に係る穿孔器具１００のパンチ１０及び応力変換装置２００の構成を示す斜視図である。
【図１４】本発明のパンチ部材の変形例を示す断面図である。
【図１５】本発明の誘導溝の変形例を示す断面図である。
【発明を実施するための形態】
【００２４】
以下、本発明を実施するための形態について、図を参照しつつ説明する。本発明の加工器具は、円形、矩形、その他の断面を有する筒状ワークを内側から加工する器具であり、筒状ワークの周壁に穿孔又は凸状の膨出部を形成するものである。本発明の加工器具は、筒状ワークを内側から穿孔又は膨出部を形成加工するパンチ部材と、このパンチ部材を誘導する誘導部材と、筒状ワークを取り付け、位置決めする筒状の筒状ワーク用治具と、この筒状ワーク用治具内をスライド可能に形成された棒状の部材であって、筒状ワーク用治具内をスライドすることにより、誘導部材を可動させるスライド部材と、を備えている。筒状ワークとは、軸方向に中空部を有する筒状、パイプ状のものを指し、断面は円形、矩形、星形等その断面は問わない。
【００２５】
パンチ部材は、主として、筒状ワークを直接加工する部材である。柱状に形成されていて、片方又は両方の柱状の端面に形成される加工部を筒状ワークの内側から押圧することによって、筒状ワークの側壁に貫通孔又は膨出部を形成する機能を有する。パンチ部材の軸方向に対して垂直断面の形状は限定するものではなく、円形、矩形、星型、ハート型等任意の断面形状を採用することができる。パンチ部材の端面形状によって、筒状ワークの周壁に形成される貫通孔又は凸状の膨出部の形状が決定されることになる。加工部をなす端面は、筒状ワークに穿孔を施す場合には、端面周囲に刃を有する切断用のパンチ面とし、一方、筒状ワークを内側から押圧して凸面を形成する場合には、凸型の端面に形成するとよい。パンチ部材の長さは筒状ワーク用治具の外周の直径より短く形成するとよい。
【００２６】
誘導部材は、スライド部材のスライドの動きを、筒状ワーク用治具の周壁に交差する方向のパンチ部材の動きに伝達して、パンチ部材を筒状ワークへ誘導する機能を有する部材である。パンチ部材と同様に柱状に形成される。また、誘導部材は、筒状ワーク治具の軸方向へは移動しないように、筒状ワーク治具の筒の外周より短く、内周より長く形成される。誘導部材は、パンチ部材を誘導部材の軸方向に移動可能なように柱状の軸が互いに交差するように組み付けられる。このように形成することで、誘導部材がパンチ部材の軸方向に移動すると、パンチ部材の端面位置は移動することになる。このような組み付け方法としては、例えば、パンチ部材に誘導部材を挿入可能な貫通孔を形成し、この貫通孔に挿入することで達成できる（図２参照）が、これに限定するものではない。また、組み付けた後に誘導部材とパンチ部材の相対位置を固定する手段を別途設けてもよい。誘導部材は、筒状ワーク用治具の規制孔に架設されている。
【００２７】
筒状ワーク用治具は、加工される筒状ワークをセットするための治具としての機能と、パンチ部材及び誘導部を一定方向への移動に規制する機能を有する。筒状ワーク断面の内側形状とほぼ同様の形状を有する筒状の部材に作製される。すなわち、矩形の筒状部材であれば、断面の内側の四角形と同じ形状の筒状の部材に作製され、円筒の筒状ワークであれば、内径と同じ外径を有する筒状の部材に作成される。また、筒状ワーク用治具には、貫通する案内孔と貫通する規制孔がそれぞれ直交するように筒状ワーク用治具に形成されている。案内孔は、パンチ部材のパンチ部の形状と同じ形状に周壁に形成された孔であり、パンチ部材を筒状ワーク用治具の周壁と交差する方向にのみ移動するように規制する。一方、規制孔は、誘導部材を筒状ワーク治具の軸方向へ移動するのを制限し、パンチ部材を周壁と交差する方向に移動できるように形成された筒状の軸に対して直交する周壁に形成された長孔である。案内孔と規制孔は、組み付けられたパンチ部材と誘導部材とが取り付け可能なように、それぞれが直交して形成される。この案内孔と規制孔によって、筒状ワーク用冶具にセットされたパンチ部材と誘導部材は、筒状ワーク用治具に関しては、パンチ部材が周壁に交差する方向にのみ移動可能になる。
【００２８】
スライド部材は、筒状ワーク用治具の筒内にスライド可能な状態で配置されるものであり、このスライド移動することによって、誘導部材を横長の規制孔上を移動させる機能を有し、ひいては、パンチ部材を移動する機能を有する。スライド部材には、スライド部材の軸に対して斜めの誘導溝や弧状の誘導溝、一部のみカーブした溝等である。この誘導溝に誘導部材が配置されているので、スライド部材を筒状ワーク用冶具内でスライド移動した際に、規制孔によって筒状ワーク用治具の軸方向への移動が規制されているので、誘導部材は誘導溝の位置に伴って横方向へ移動していくことになる。この誘導部材の移動によって、誘導部材と連結されているパンチ部材は、筒状ワーク治具の周壁に対して交差する方向へ移動する。したがって、誘導溝の形状を変更することによって、パンチ部材の移動の長さ、移動のタイミング等を自在に変更することができる。
【００２９】
さらに、本発明においては、ダイ部材を備えていてもよい。ダイ部材は、パンチ部材との関係で本来のダイ部材の機能を有する他、筒状ワークのバリ発生防止、パンチ部材の圧力による筒状ワークの変形の防止の機能を有する。本発明においては、ダイ部材は筒状ワークの外側に配置されることになる。ダイ部材は、筒状ワーク断面の外壁形状と同様の形状を有する貫通孔を有する筒状の部材に作成される。すなわち、矩形の筒状部材であれば、断面の外側の四角形と同じ形状の筒状の部材に作成され、円筒の筒状ワークであれば、外径と同じ内径を有する筒状の部材に作製される。そして、パンチ部材が稼働される部分にダイ孔が形成される。
【実施例１】
【００３０】
以下、本発明の実施例について、図面に沿って詳細に説明する。なお、以下に説明する実施例及び図面は、本発明の実施形態の一部を例示するものであり、これらの構成に限定する目的に使用されるものではない。また、各図において対応する構成要素には同一又は類似の符号が付されている。
【００３１】
本発明の実施例を説明するにあたり、実施例の構成要素と本発明の構成要素との対応関係を明らかにする。本実施例における穿孔器具１００が加工器具に相当し、鉄パイプ９０が筒状ワークに相当し、パンチ１０がパンチ部材に相当し、誘導ピン２０が誘導部材に相当し、スライド棒３０がスライド部材に相当し、長孔溝３１が長孔溝に相当し、弧状溝３２が誘導溝に相当し、鉄パイプ用治具４０が筒状ワーク用治具に相当し、誘導ピン規制孔４４が規制孔に相当し、パンチ用案内孔４３が案内孔に相当し、ダイ５０がダイ部材に相当する。
【００３２】
図１は、第１実施例に係る穿孔器具１００及び加工される鉄パイプ９０の構成を示す斜視図である。第１実施例に係る穿孔器具１００は、主として、鉄パイプ９０に貫通孔を穿孔するパンチ１０、このパンチ１０を誘導する誘導ピン２０、パンチ１０の動きを誘導ピン２０を介して制御するスライド棒３０、加工時に鉄パイプ９０の位置決めを行うための鉄パイプ用治具４０、鉄パイプ９０の外側に配置されるダイ５０とを備えている。
【００３３】
パンチ１０は、図２に示すように、全体が円柱状をなしており、中央に後述する誘導ピン２０を内側に挿入するためのピン挿入用貫通孔１１が軸αと直交するように設けられている。パンチ１０の両端は、図３に示すように、凹面をなし、端辺１２が刃として機能して鉄パイプ９０に孔を開け易くなっている。パンチ１０の軸α方向の長さは、後述する鉄パイプ用治具４０の円筒治具４１の外周直径より若干短く形成されている。
【００３４】
誘導ピン２０は、図２に示すように、パンチ１０のピン挿入用貫通孔１１の内径とほぼ同径の外径を有する円柱状である。ピン挿入用貫通孔１１に内側に挿入されると、パンチ１０及び誘導ピン２０は、十字状の部材である。誘導ピン２０の軸β方向の長さは、後述する鉄パイプ用治具４０の円筒治具４１の外周直径より若干短く形成されている。
【００３５】
スライド棒３０は、図４、図５に示すように、円柱状の鉄の棒からなり、周壁から長孔形状の長孔溝３１及びこの長孔溝３１と直交するように周壁から弧状の弧状溝３２がそれぞれ設けられている。すなわち、長孔溝３１と弧状溝３２はそれぞれ９０°角度がずれている。なお、図４ａはスライド棒３０の外観斜視図であり、図４ｂは隠線を表した斜視図である。また、図５は、それぞれスライド棒３０の正面図、右側面図及びＡ−Ａ断面図を示す。長孔溝３１は、図４に示すように、開口部がスライド棒３０の軸γ方向に長軸を有する直線状の長孔に形成される。長孔溝３１の開口の幅Ｂはパンチ１０の外径とほぼ同じ長さに形成される。長孔溝３１には、図５に示すようにパンチ１０が配置され、パンチ１０は長孔溝３１内を長軸方向（矢印Ｃ）に移動可能である。一方、弧状溝３２の開口は、スライド棒３０の軸γ方向に長い弧状の長孔に形成される。弧状溝３２の開口の幅は、誘導ピン２０の直径とほぼ同じ長さに形成される。弧状溝３２には、誘導ピン２０が収容され、誘導ピン２０は弧状の貫通孔内を弧状方向（矢印Ｄ）に移動可能となる。詳細は後述するが、パンチ１０の移動は、誘導ピン２０の移動と連動して移動することになるので、弧状溝３２の長さは、長孔溝３１の長軸長さに応じて決定される。具体的には、弧状溝３２は、パンチ１０の中心が長孔溝３１内でした移動距離（Ｅ）と、誘導ピン２０の中心が弧状溝３２を移動した場合の直線距離（Ｆ）とが同じ距離となるように設計される。こうして形成される１組の長孔溝３１及び弧状溝３２が、スライド棒３０の軸方向にずらして４組設けられている。それぞれの組は、スライド棒３０の外周方向に対して９０°づつ回転して（螺旋状に）設けられている。
【００３６】
鉄パイプ用治具４０は、図６に示すように、円筒治具４１と台座４２とを備えている。なお、図６は、鉄パイプ用治具４０の斜視図を示し、図６ａは鉄パイプ用治具４０の外観斜視図であり、図６ｂは隠線を表した斜視図である。円筒治具４１は、スライド棒３０の外径とほぼ同様の大きさの内径を有する円筒状に形成されており、筒内にスライド棒３０をスライド可能に挿入することができる。円筒治具４１の円周面には、スライド棒３０の長孔溝３１に挿入されたパンチ１０の配置と同様の配置となるように、パンチ１０の直径とほぼ同じ直径を有するパンチ用案内孔４３が形成されていて、パンチ１０は周壁に対して交差する方向、すなわち直径方向（パンチ１０がパンチ用案内孔４３を出入りする方向）の移動のみに規制される。また、スライド棒３０の弧状溝３２に配置される誘導ピン２０の配置と同様の配置となり、誘導ピンが連通するように誘導ピン規制孔４４が設けられている。誘導ピン規制孔４４は、円筒治具４１の軸方向（δ）の幅は誘導ピン２０の直径と同じ幅に形成され、軸方向δと垂直な方向に長軸を有する長孔に形成される。誘導ピン２０が弧状溝３２を移動する際に軸方向に対して垂直方向へスライドするので、そのスライド長さ（Ｇ）（図５）と同様の長さの長軸（Ｇ’）（図６）を有する長孔に形成される。台座４２は、円筒治具４１を中央に固定しており、その中央には、円筒治具４１の内径と同様の内径の台座貫通孔４６が、円筒治具４１から連通して底面まで設けられている。また、台座４２の円筒治具４１の周囲には、４つの台座貫通孔４５が設けられている。
【００３７】
ダイ５０は、図７に示すように、加工される鉄パイプ９０を鉄パイプ用治具４０に取り付けた後に、鉄パイプ９０の周囲から覆うものであり、加工される鉄パイプ９０の外径とほぼ同じ内径の筒状ワーク挿入孔５１を有する直方体に形成されている。周壁には、図７に示すスライド棒３０の長孔溝３１に収容されたパンチ１０の配置と同様の配置となり、パンチ１０が連通するように、パンチ１０の直径とほぼ同じ直径を有するダイ孔５２が形成されている。さらに、ダイ５０の底面には、鉄パイプ用治具４０に設置した場合に台座貫通孔４５に対応する位置に、ダイ固定用穴５３が４つ設けられている。
【００３８】
以上のように構成された穿孔器具１００及び加工される鉄パイプ９０は、以下のようにして使用される。
【００３９】
まず、図１に示すように、鉄パイプ用治具４０の円筒治具４１内にスライド棒３０を挿入する。そして、長孔溝３１をパンチ用案内孔４３に一致させて、それぞれの孔にパンチ１０を挿入する。次に、弧状溝３２、誘導ピン規制孔４４及びピン挿入用貫通孔１１を一致させて、それぞれの孔に誘導ピン２０を挿入する。こうして、パンチ１０は、誘導ピン２０と交差した状態であり、この状態で誘導ピン２０が弧状溝３２内を移動すると、誘導ピン規制孔内を移動し、それに伴ってパンチ１０も移動することになる。この段階で、図８のＨに示すように、それぞれスライド棒３０、パンチ１０及び誘導ピン２０が、鉄パイプ用治具４０に取り付けられる。次に、鉄パイプ用治具４０に加工を施す鉄パイプ９０を円筒治具４１の外側に嵌め込む。さらに、鉄パイプ９０の周囲を覆うようにダイ５０を取り付ける。ダイ５０は、鉄パイプ用治具４０の形成されたパンチ用案内孔４３とダイ孔が一致するように取り付ける。ダイ５０は、ボルト６０（図１参照）で鉄パイプ用治具４０の底面側から台座貫通孔４５を介してダイのダイ固定用穴５３に螺合することで固定することができる。こうして穿孔器具１００の各構成の取り付けが完了する（図９）。
【００４０】
鉄パイプ９０が取り付けられた穿孔器具１００は、公知のプレス装置に取り付けられて、鉄パイプ９０の内側から孔が穿孔される。図１０、１１及び１２には、鉄パイプ９０が穿孔される一連の工程が示されている。説明の便宜のため、下から２番目に配置されたパンチ１０及び誘導ピン２０（図１０aのIの部分）を用いて一連の動きを説明する。図１０ａの状態では、パンチ１０及び誘導ピン２０のいずれも長孔溝３１及び弧状溝３２の下端に位置し、パンチ１０の端面及び誘導ピン２０のいずれも、パンチ用案内孔４３及び誘導ピン規制孔（図示せず。）に挿入されていて、かつ円筒冶具４１の外周より内側に配置されている。この状態からプレス装置等により、スライド棒３０を鉄パイプ用冶具４０に圧入していくと、図１０ｂに示すように、長孔溝３１及び弧状溝３２は下方に移動していく。しかし、パンチ１０及び誘導ピン２０は、それぞれパンチ用案内孔４３及び誘導ピン規制孔４４によってスライド棒３０の移動方向への移動は規制される。そのため、パンチ１０の位置は相対的に、長孔溝３１の上方にスライドしていき、誘導ピン２０は、弧状溝３２の上方にスライドしていくことになる。このときに、誘導ピン２０は、弧状溝３２の弧状の形状に沿って、スライド棒３０の軸方向と垂直方向（図１０ｂの左側方向）へ相対的に移動していくことになる。この誘導ピン２０の水平方向への移動に伴って、パンチ１０も同方向（図１０の左側方向）へ移動することになる。このパンチ１０の移動によって、パンチ１０の刃は、鉄パイプ９０の内側から押圧することになる。
【００４１】
さらに、スライド棒３０を圧入していくと、図１１ａに示すように、誘導ピン２０は、弧状溝３２をスライドして最も左側へ移動し、これに伴ってパンチ１０は、鉄パイプ９０を完全に貫通しダイ５０に形成されたダイ孔５２に挿入されていく。この動作によって、鉄パイプ９０は、パンチ１０とダイ５０に形成されたダイ孔５２との境界でせん断され、貫通孔が穿設される。スクラップ９１は、ダイのダイ孔５２から外へ排出される
【００４２】
さらに、スライド棒３０を圧入していくと、図１１ｂに示すように、誘導ピン２０は、弧状溝３２の上方へさらにスライドし、弧状溝３２の最も左側に配置される溝を通り越して、逆に右側へ押し戻されることになる。パンチ１０はこの誘導ピン２０の動きに連動して、ダイ５０側から鉄パイプ用冶具４０内へ引き戻される。さらにスライド棒３０を圧入することによって、図１２に示すように、パンチ１０及び誘導ピン２０は、それぞれ長孔溝３１及び弧状溝３２の上端までスライド移動される。そして、誘導ピン２０は、スライド棒３０を圧入する前の位置まで復帰され、それに伴いパンチ１０も初期位置まで復帰し、完全に鉄パイプ用冶具４０内に配置される。これにより、スライド棒３０を初期位置まで復帰させることなく、直ちに鉄パイプ９０を交換して加工することができる。
【００４３】
その後、加工された鉄パイプ９０が鉄パイプ用冶具４０から引き抜き、穿孔された鉄パイプ９０が完成する。
【００４４】
次に、新たな鉄パイプ９０を加工する場合は、スライド棒３０下側から圧入し、初期位置まで復帰させた後に同様の加工を行ってもよいし、スライド棒３０が下方位置にある状態のまま新しい鉄パイプ９０を装着し、下側から圧入して加工してもよい。この場合は、前述した加工段階の逆をたどるが、パンチ１０は同様の動きをして、鉄パイプ９０を加工することができる。下方からのスライド棒３０の圧入については、油圧、水圧等のプレス装置、バネ等の弾性部材等種々の公知技術を用いることができる。
【実施例２】
【００４５】
図１３に実施例２に係る穿孔器具１００と、プレス方向に対して直角の方向へ力の方向を変化させる応力変換装置２００とを備えている。
【００４６】
穿孔器具１００は、実施例１に記載されたスライド棒３０に設けられた弧状溝３２に代えて、傾斜溝３２ａが設けられている。この傾斜溝３２ａの開口は、スライド棒３０の軸εに対して角度を有する直線状の長孔に形成されている。その他の構成は実施例１と同様であるので、省略する。
【００４７】
応力変換装置２００は、プレス等の押圧装置（図示しない。）からの力を受ける被押圧部材２１０と、該被押圧部材から受けた力Ｊの方向を直角方向（Ｋ）へ変換する変換部材２２０と、この変換部材２２０を穿孔器具１００側へ付勢するバネ２３０と、変換部材２２０の移動方向及び距離を制御する移動制御部材２４０と、これらの部品をプレス装置に固定するためのベースプレート２５０とを備えている。
【００４８】
被押圧部材２１０は、プレス等の力を受ける被押圧面２１１と、プレスの力の方向Ｊを変化させるためにプレス方向に対し、４５°の傾斜面２１３を有する変換部材押圧部２１２と、を備えている。
【００４９】
変換部材２２０は、変換部材押圧部２１２と同様の角度を有し、被押圧面２１１と摺動する摺動面２２１を備えている。変換部材押圧部２１２からの力によって、プレス方向に対して直角方向（Ｋ）へスライド移動される。変換部材は、制御棒２４１と連結されており、変換部材２２０のスライド移動の方向は、ベースプレート２５０に固定された固定部材２４２及びこの固定部材２４２に対して一定方向のみにスライド可能に形成された制御棒２４１によって決定される。また、変換部材２２０のスライド移動方向と反対の面には、スライド棒３０の底面が取り付けられ、変換部材２２０のスライド移動に伴って、スライド棒３０が移動する。一方、スライド棒３０が取り付けられた面と反対の面には、バネ２３０が取り付けられていて、プレスによる変換部材のスライド方向（Ｋ）と反対の方向へ付勢されている。従って、プレスによる圧力がなくなると、変換部材は図１３における右側（初期位置）へ戻されることになる。さらにバネ２３０の他方側は、移動制御部材２４０に取り付けられている。
【００５０】
こうして構成された応力変換装置２００によれば、図１３ａの状態からプレス装置によって矢印Ｊの方向に押圧すると、変換部材２２０は矢印Ｋの方向へスライド移動する（１３ｂ）。このスライド移動によって、スライド棒３０も同様に矢印Ｋの方向に移動する。これにより、誘導ピン２０は、傾斜溝３２ａをスライドし、パンチ１０を移動させる。このパンチ１０の移動により実施例１と同様に鉄パイプ９０は穿孔される。こうして鉄パイプ９０の穿孔が終了し、プレス装置を開放すると、バネ２３０の作用によって、穿孔器具１００は初期の位置に復帰される。その後、穿孔された鉄パイプ９０を抜き取った後、新たな鉄パイプ９０を挿入して再度プレス装置を起動すれば、同様に鉄パイプに貫通孔を穿設することができる。
【００５１】
このようにスライド棒３０をプレス方向に対して直角に変換させる装置を使用することによって、スライド棒３０の端部からプレス装置で押圧する必要がなくなり、スライド棒３０より長い鉄パイプ９０を使用することが可能になる。また、誘導溝として軸と角度を有する直線状の傾斜溝３２ａを使用すれば、パンチ１０の移動ストロークを長くすることができ、パンチに必要な圧力を弱くすることができる。
【００５２】
なお、上述した実施例では、穿孔器具１００を用いて説明したが、図１４に示すように、パンチ１０の端面が凸状の形状を有するパンチ１０を使用すれば、鉄パイプ９０の側壁を突出させた膨出部を形成することができる。
【００５３】
また、上述した実施例では、誘導溝として弧状溝３２又は傾斜を有する傾斜溝３２ａを用いて説明したが、誘導溝は、円筒治具の軸と平行する直線状の長孔以外であれば、その溝の形状は限定するものではない。図１５の３２ｂに示すように、一部が直線で途中から弧状に形成された誘導溝３２ｂを使用すれば、パンチ１０の移動開始時期を遅らせることができる。さらに、誘導溝の形状は、図１５に示すように、誘導溝３２ａ、３２ｂのように、異なる形状の誘導溝用いることで、パンチ１０の移動ストロークや移動開始時期をコントロールすることができる。
【００５４】
また、上述した実施例では、パンチ１０及び誘導ピン２０の角度を９０°ずつずらして配置したが、これに限定されるものではなく、要求される製品に応じて任意の角度で穿設することができるように、任意の角度で設置できるようにスライド棒３０及び鉄パイプ用治具４０を作製することができる。また、それぞれの設置する位置も等間隔である必要はなく、任意の間隔で配置することができる。
【００５５】
また、上述した実施例では、ダイの形状として矩形のものを使用したが、これに限定するものではなく、円筒形や多角形等であってもよい。
【産業上の利用可能性】
【００５６】
上述した実施形態で示すように、鉄パイプ等の筒状ワークを内側から加工する加工器具として、産業上利用可能である。
【符号の説明】
【００５７】
１０…パンチ、１１…ピン挿入用貫通孔、１２…端辺、２０…誘導ピン、２３ａ…傾斜溝、３０…スライド棒、３１…長孔溝、３２…弧状溝、３２ａ…傾斜溝、３２ｂ…誘導溝、４０…鉄パイプ用治具、４１…円筒治具、４２…台座、４３…パンチ用案内孔、４４…誘導ピン規制孔、４５…台座貫通孔、４６…台座貫通孔、５０…ダイ、５１…筒状ワーク挿入孔、５２…ダイ孔、５３…ダイ固定用穴、６０…ボルト、９０…鉄パイプ、９１…スクラップ、１００…穿孔器具、２００…応力変換装置、２１０…被押圧部材、２１１…被押圧面、２１２…変換部材押圧部、２１３…傾斜面、２２０…変換部材、２２１…摺動面、２３０…バネ、２４０…移動制御部材、２４１…制御棒、２４２…固定部材、２５０…ベースプレート。
【手続補正２】
【補正対象書類名】特許請求の範囲
【補正対象項目名】全文
【補正方法】変更
【補正の内容】
【特許請求の範囲】
【請求項１】
パイプ、管等の筒状ワークの周壁を内側から加工する加工器具において、
円柱状の誘導部材と、
端部に加工部を有する柱状に形成され、前記誘導部材をスライド可能なスライド孔を柱状の軸と直交する方向に形成されたパンチ部材と、
外周壁に前記筒状ワークを配置可能な筒状に形成されてなり、前記パンチ部材の端部を案内するために周壁から反対の周壁まで貫通する案内孔と、前記誘導部材の両端を支持し、前記筒状ワークの軸方向と垂直な方向に長軸を有する長孔に形成され、前記筒状ワークの軸方向へ移動するのを防止するために周壁から反対の周壁まで貫通した規制孔とを有する筒状ワーク用冶具と、
前記筒状ワーク用冶具の筒内を軸方向にスライド可能な柱状に形成されてなり、前記パンチ部材を収容可能な周壁から反対周壁まで貫通した長孔状の開口を有する長孔溝と、前記誘導部材を収容可能な前記長孔溝と直交する方向に貫通した長孔状の開口面を有する誘導溝と、を有するスライド部材と、を備え、
前記長孔溝は、前記スライド部材の軸方向に延びた長孔に形成されており、
前記誘導溝の少なくとも一部は、前記スライド部材の軸に対して角度を有しているか又は曲線であることを特徴とする加工器具。
【請求項２】
前記誘導溝は、弧状に形成されてなることを特徴とする請求項１に記載の加工器具。
【請求項３】
請求項１又は２に記載の加工器具において、
円柱状の誘導部材と、
端部に加工部を有する柱状に形成され、前記誘導部材をスライド可能なスライド孔を柱状の軸と直交する方向に形成されたパンチ部材と、
外周壁に前記筒状ワークを配置可能な筒状に形成されてなり、前記パンチ部材の端部を案内するために周壁から反対の周壁まで貫通する案内孔と、前記誘導部材の両端を支持し、前記筒状ワークの軸方向と垂直な方向に長軸を有する長孔に形成され、前記筒状ワークの軸方向へ移動するのを防止するために周壁から反対の周壁まで貫通した規制孔とを有する筒状ワーク用冶具と、
前記筒状ワーク用冶具の筒内を軸方向にスライド可能な柱状に形成されてなり、前記パンチ部材を収容可能な周壁から反対周壁まで貫通した長孔状の開口を有する長孔溝と、前記誘導部材を収容可能な前記長孔溝と直交する方向に貫通した長孔状の開口面を有する誘導溝と、を備えたスライド部材と、
からなる構成が複数設けてあることを特徴とする加工器具。
【請求項４】
複数の前記誘導溝の少なくとも１つは、形状が異なることを特徴とする請求項３に記載の加工器具。
【請求項５】
請求項１から４のいずれか１項に記載の加工器具において、
前記筒状ワーク用冶具の外周に設置される前記筒状ワークの外周に設置されるダイ部材を備えることを特徴とする加工器具。
【請求項６】
請求項１から５のいずれか１項に記載の加工器具を用いた筒状ワークの加工方法であって、
筒状ワーク用治具に筒状ワークを取り付ける工程と、
該筒状ワーク用治具のスライド部材を押圧する工程と、
からなることを特徴とする筒状ワークの加工方法。